(57)【特許請求の範囲】
【請求項１】
先端上部に押し込みナットのナット本体を受け入れて保持するナット保持部を備えた長尺直線帯状部材と、上記長尺直線帯状部材の先端付近の下部に構成した移動手段であって、上記長尺直線帯状部材の下面側で、上記ナット保持部に対応する位置の両側に配した一対の車輪で構成した移動手段と、上記ナット保持部の中心からの寸法を示す寸法目盛りであって、上記長尺直線帯状部材の上面にその後端方向に向かって施した寸法目盛りとで構成した押し込みナットの位置決め具。
【請求項２】
前記ナット保持部を、押し込みナットのナット本体を受け入れる六角孔を有するナット受け部と、このナット受け部を脱着自在に装着するためのナット受け部装入部とで構成した請求項１の押し込みナットの位置決め具。
【発明の詳細な説明】
【０００１】
【発明の属する技術分野】
本発明は、角筒材等のような内側に狭い空間を有する部材の上板側に開口した取付穴に、上方から押し込みナットの圧入補助具の引き寄せ螺旋部を挿入し、下方に位置する押し込みナットの雌ねじ部にねじ込んでこれを引き寄せ、その圧入固定部を該取付穴に圧入固定すべく、該押し込みナットを上記狭い空間内に装入して下方から該取付穴に位置決めするために使用する押し込みナットの位置決め具に関するものである。
【０００２】
【従来の技術】
押し込みナットは、ナット本体の軸方向の一端に圧入固定部を備えたものであり、取付穴からの抜け止めの観点や回転止めの観点から、その圧入固定部の構成にはいくつかのタイプのものがあるが、いずれにしても、その圧入固定部を取付対象パネルの取付穴に圧入して固定するものである。
そしてこのような押し込みナットの対象パネルへの取り付けは、文字通り、その圧入固定部を該対象パネルの取付穴に押し込むことにより行うものであるが、この押し込み操作は、油圧式又は空圧式のプレス機を用いたり、ハンマーを用いたりして行われている。
【０００３】
油圧式又は空圧式のプレス機を用いて押し込みナットの押し込み操作を行う場合は、押し込みナットの軸心を取付穴のそれと一致させて正確な押し込み深さに押し込むことが可能になり、その点では好都合であるが、対象パネルが、平坦で単純な一枚板であれば、特に問題は生じないが、複雑に屈曲されたり、何枚かが縦横に結合されたり、あるいは角筒状に形成する等の何らかの形状に形づけられたりしたものであった場合には、これをプレス機にセットすることが困難であったり、押し込みナットの押圧側端部の上方にプレス機で押圧するためのスペースがない等の問題が生じるため、その様なプレス機を用いた押し込み操作は殆ど不可能になる。
【０００４】
そこで取付穴にセットした押し込みナットをハンマーを用いて叩き込むようなことが行われるが、これは、該押し込みナットの軸心を取付穴のそれと一致させることも正確な深さに押し込むことも困難であり、品質の良い押し込みナットの取り付けを行うことは望み薄である。またこのようなハンマーですら、叩き込みのためのスペースがないため用いることができない場合もある。
【０００５】
そこで本発明者は、以上の従来技術の問題点を解決し、上記のような場合の悉くに、押し込みナットの取付穴への圧入操作が簡単かつ正確に行える押し込みナットの圧入補助具を開発し、これを提案した（特願２０００−１９６７。現時点ではまだ公知となっていない）。
【０００６】
これを簡単に説明すると、上記押し込みナットの圧入補助具は、圧入固定部を対象パネルの取付穴に対面させた状態の押し込みナットの雌ねじ部に、該対象パネルを挟んで反対側から該取付穴を通じて螺合させる引き寄せ用螺旋部と、
該引き寄せ用螺旋部に、その回転操作を行うために結合した補助具本体であって、これを回転させて該引き寄せ用螺旋部を前記押し込みナットの雌ねじ部に相対的に進入させようとする場合に、その前面が前記対象パネルに当接して、該引き寄せ用螺旋部を前記押し込みナット側に移動しないように規制するストッパ面となる補助具本体とで構成したものである。
【０００７】
そして上記押し込みナットの圧入補助具は、対象パネルの取付穴の周囲のスペースが相当狭い場合でも、余程小さな特別な場合でない限り、これをそのスペース中に装入することが可能であるため、押し込みナットの圧入が可能であり、更に圧入を取付穴に対して軸心を一致させ、かつ正確な深さに進入させて行うことができるものである。また次に示すように非常に簡単な操作で押し込みナットの取付穴への圧入操作を行うことができる。
【０００８】
まず押し込みナットの圧入固定部側を対象パネルの取付穴に向けて当接させる。そうした上で、押し込みナットの圧入補助具は、該対象パネルの反対側の面から、その引き寄せ用螺旋部を該取付穴を通じて該押し込みナットの雌ねじ部に螺合させる。押し込みナットを回り止めしながら、補助具本体を、引き寄せ用螺旋部が該押し込みナットの雌ねじ部に進入することとなる方向に少し回転させると、該押し込みナットの圧入固定部の先端が取付穴の周囲に当接した状態で、該補助具本体の前面（ストッパ面）が対象パネルに当接するようになり、この状態になると、該押し込みナットは取付穴の周囲との摩擦により、自由な回転が阻止される様になる。
【０００９】
この後は、補助具本体を回転させると、前記引き寄せ用螺旋部は、前記押し込みナットの雌ねじ部に相対的に進入することとなるが、該補助具本体の前面が対象パネルの表面に当接していてストッパ面として作用し、該引き寄せ用螺旋部の進出を妨げているので、相手方である押し込みナットが引き寄せられることとなり、その圧入固定部が徐々に取付穴に進入することとなる。そして引き寄せ用螺旋部の回転に伴って、該圧入固定部が必要なだけ進入すると、押し込みナットの対応する端面が対象パネルの表面に当接することとなり、これで押し込みナットの圧入動作は完了である。
【００１０】
その後は、圧入補助具の補助具本体を逆方向に回転させ、その引き寄せ用螺旋部を押し込みナットの雌ねじ部から抜き取れば作業完了である。
【００１１】
このように本発明者の提案した押し込みナットの圧入補助具によれば、対象パネルに於いて押し込みナットを取り付ける側の反対側に若干の空間があれば、その取付作業は概ね容易に行えるものであるが、更に多くの場合のテストの結果、押し込みナットをセットする側に手を差し込むこともできないほどの狭い空間しかない場合には、従来の手段による圧入は勿論、本発明者の提案した前記圧入補助具による圧入も困難になってしまうことが明らかになった。したがってこのような狭い空間内に押し込みナットを導入して必要な位置に位置決めする補助的な用具が望まれるところとなった。
【００１２】
【発明が解決しようとする課題】
そこで、本発明は、以上のような問題を解決し、容易に手を差し込むこともできないような狭い空間内から取付穴に押し込みナットをセットせざるを得ないような場合であっても、そのような位置への押し込みナットの位置決めを容易に行える補助的な用具、即ち、そのような空間に押し込みナットを導入し、かつ正確に取付穴に対応させて位置決めすることのできる押し込みナットの位置決め具を提供することを解決の課題とするものである。
【００１３】
【課題を解決するための手段】
本発明の１は、先端上部に押し込みナットのナット本体を受け入れて保持するナット保持部を備えた長尺直線帯状部材と、上記長尺直線帯状部材の先端付近の下部に構成した移動手段であって、上記長尺直線帯状部材の下面側で、上記ナット保持部に対応する位置の両側に配した一対の車輪で構成した移動手段と、上記ナット保持部の中心からの寸法を示す寸法目盛りであって、上記長尺直線帯状部材の上面にその後端方向に向かって施した寸法目盛りとで構成した押し込みナットの位置決め具である。
【００１４】
本発明の１は、以上のような構成であり、内側に狭い空間を有する部材の上面板側に開口した取付穴に、上方から押し込みナットの圧入補助具の引き寄せ螺旋部を挿入し、下方に位置する押し込みナットの雌ねじ部にねじ込んでこれを引き寄せ、その圧入固定部を該取付穴に圧入固定すべく、該押し込みナットを該狭い空間内に装入して下方から該取付穴に位置決めする押し込みナットの位置決め具である。
前記狭い空間とは、例えば、角筒状部材の内部空間や二枚の板状部材に挟まれた隙間空間等である。対象となる取付穴は、例えば、上記のような角筒状部材の四面の内、上面板を構成するパネルに開口させた取付穴であり、しかもその下面側から押し込みナットの圧入固定部を圧入固定するそれである。本発明の押し込みナットの位置決め具はこのような部位に押し込みナットを装入し、かつ下方から該取付穴に概ね軸心を一致させて位置決めするために用いるものである。
【００１５】
また位置決め対象である押し込みナットは、対象パネルの取付穴に取り付ける取付対象であるが、これは寸法形状等を問わない。どのような寸法のものでも、前記ナット保持部の寸法等を対応させれば不都合なく対応し、正確に位置決めすることができる。前記押し込みナットは、特にその圧入固定部に種々の構成のものがあるがいずれも本発明の対象となる。圧入固定部は、例えば、多くは、その先端にテーパ状挿入部を有し、かつこれとナット本体との間に溝部を有しているが、これらの構成も、当然、限定されず、どのような構成のものも本発明の対象となる。
【００１６】
前記ナット保持部は、押し込みナットを、その圧入固定部を上向き状態にしつつナット本体の全部又は一部をその中に装入して保持する構成であり、前記取付穴に下方から位置決めして、上方から該取付穴に挿入垂下した引き寄せ用螺旋部を該押し込みナットの雌ねじ部にねじ込む場合に、該押し込みナットの回転止めの役割も併せて果たすべきものである。
【００１７】
前記長尺直線帯状部材は、これを掴んで前記狭い空間内の所定取付穴の直下までナット保持部で保持した押し込みナットを装入するための手段であり、そのために必要な充分な長さの部材で構成する。例えば、そのような長さを持った物差し状の板材で構成することができる。
【００１８】
前記移動手段は、前記のように、前記長尺直線帯状部材の外端部付近を掴んで上記のようにして前記狭い空間内にそのナット保持部で保持した押し込みナットを装入する際に、該狭い空間の底部をスムーズに移動させるための一対の車輪で構成した手段であり、これによってその通りの動作をすることができる。
【００１９】
また前記寸法目盛りは、ナット保持部で保持した押し込みナットを正しく対象の取付穴の直下まで装入するための目安となるものである。前記狭い空間中に、前記寸法目盛りを利用して、その入口から対象の取付穴の中心までの長さ分だけ、押し込みナットを保持させたナット保持部を装入することで、該押し込みナットを該取付穴の直下に軸心を一致させて位置決めさせようとするものである。
【００２０】
したがって本発明の１の押し込みナットの位置決め具によれば、狭い空間の上面板に開口した取付穴、例えば、角筒状部材の四面の内、上面板を構成するパネルに開口した取付穴にその下方から押し込みナットを圧入しようとする場合に、その位置への該押し込みナットの位置決めを容易かつ正確に行うことができる。
【００２１】
まず長尺直線帯状部材の先端のナット保持部に所定の押し込みナットのナット本体を装入して保持させる。当然、圧入固定部を上向きにしつつ保持させる。
次いで、前記長尺直線帯状部材の後端部付近を掴んで、そのナット保持部側を上記角筒状部材の入口から装入する。このとき、前記移動手段が前記角筒状部材の底面側を走行移動することで容易にその装入操作を行うことができる。またこのとき装入距離、即ち、前記ナット保持部の中心から上記角筒状部材の入口までの距離を、前記取付穴の中心から上記角筒状部材の入口までの距離に一致させることとする。これは前記長尺直線帯状部材の上面に施した寸法目盛りを利用して行うべきことは云うまでもない。
【００２２】
こうして押し込みナットのナット本体を保持したナット保持部側を前記角筒状部材内に装入する際に、方角を確かめて装入し、装入距離を寸法目盛りで確認すれば、正確に前記所定の取付穴の直下に所定の押し込みナットを位置決めすることができる。
【００２３】
このように準備した上で、前記所定の取付穴に上方から前記押し込みナットの圧入補助具の引き寄せ用螺旋部を挿入すれば、その下端が前記位置決め具のナット保持部に保持された押し込みナットの雌ねじ部上端に当接することとなる。この後、前記圧入補助具の補助具本体を掴んで所定方向に回転させれば、上記引き寄せ用螺旋部は前記押し込みナットの雌ねじ部にねじ込まれ、前記補助具本体の前面が前記パネル前面に当接していずれ下降は不可能になるので、その後は、ねじ込みに伴って該押し込みナットはその圧入固定部が前記取付穴に圧入されることとなる。
【００２４】
なお前記ナット保持部は、前記引き寄せ用螺旋部の回転による押し込みナットの雌ねじ部へのねじ込みの際に、該押し込みナットに対する回転止めの作用も果たしている。
【００２５】
前記のように引き寄せ用螺旋部が押し込みナットの雌ねじ部にねじ込まれ、該押し込みナットが引き寄せられると、そのナット本体が前記ナット保持部から抜け出ることとなるが、その時点では、圧入固定部の上端周囲が取付穴の下端部周囲に当接し、または圧入固定部が取付穴に既に進入状態にあり、これによって回転止めがなされることとなる。
【００２６】
しかして更に必要なだけ引き寄せ用螺旋部が回転させられると、前記雌ねじ部へのねじ込みが進み、更に押し込みナットは引き寄せられ、押し込みナットのナット本体の端面が前記パネル面に接するに至り、押し込みナットの圧入操作は終了となる。
【００２７】
この後は、引き寄せ用螺旋部を逆回転させて押し込みナットの雌ねじ部から抜き取り、前記押し込みナットの位置決め具を角筒状部材の内部空間から引き出せば全ての作業は終了である。云うまでもなく、押し込みナットのナット本体は前記ナット保持部から抜け出ているので、位置決め具の引き出しには何の支障も生じない。
【００２８】
このように本発明の１の押し込みナットの位置決め具によれば、容易に手を差し込むこともできないような狭い空間内から取付穴に押し込みナットを圧入する場合であっても、そのような位置への押し込みナットの位置決めを容易に行うことができる。
【００２９】
本発明の２は、本発明の１の押し込みナットの位置決め具に於いて、前記ナット保持部を、押し込みナットのナット本体を受け入れる六角孔を有するナット受け部と、このナット受け部を脱着自在に装着するためのナット受け部装入部とで構成した押し込みナットの位置決め具である。
【００３０】
したがって本発明の２の押し込みナットの位置決め具によれば、ナット受け部の六角孔に種々のサイズのものを用意し、これを適宜交換することにより、種々のサイズの押し込みナットの位置決めに用いることができる。
【００３１】
なお本発明の１及び本発明の２のいずれにも関わりなく、取付穴への押し込みナットの圧入後に、その圧入固定部と取付穴との結合固定に不安がある場合には母材との間を溶接してその結合を補強することができる。
【００３２】
【発明の実施の形態】
以下、発明の実施の形態を実施例に基づき、かつ添付図を参照しつつ詳細に説明する。
図１（ａ）は一実施例の位置決め具の一部切欠概略正面図、図１（ｂ）は一実施例の位置決め具の一部切欠概略側面図、図２は一実施例の位置決め具の向きを変え、かつそのナット受け部装入部からナット受け部を抜き取った状態の一部切欠概略正面図、図３（ａ）はナット受け部の一例の概略正面図、図３（ｂ）はナット受け部の一例のＡ−Ａ線概略断面図、図３（ｃ）はナット受け部の他の一例の概略正面図、図３（ｄ）はナット受け部の更に他の一例の概略正面図、図４は、ナット受け部装入部にナット受け部を、そのナット受け部に押し込みナットを、順次、装入しようとしている状態を示した位置決め具の一部切欠側面図。
【００３３】
図５は角筒材内に位置決め具のナット保持部側を装入した状態を示した一部切欠概略斜視図、図６は角筒材内に位置決め具のナット保持部側を装入し、該ナット保持部で保持した押し込みナットを上面パネルに開口した取付穴に上下一致する位置に位置決めしようとしている状態を示した一部切欠概略側面断面図、図７は上面パネルに取付穴を開口した角筒材と、位置決め具によって上記取付穴の直下に位置決めされた押し込みナットと、上記押し込みナットを上記取付穴に圧入固定すべく、その上方に配置したワッシャー状部材及び圧入補助具とを示した概略側面断面図、図８は上面パネルに取付穴を開口した角筒材と、位置決め具によって上記取付穴の直下に位置決めされた押し込みナットと、取付穴の周囲の上面パネル上に配置したワッシャー状部材と、その上方から引き寄せ用螺旋部を垂下してその下端周囲を押し込みナットの雌ねじ部上端周囲に当接させた圧入補助具とを示した概略側面断面図。
【００３４】
図９は上面パネルに取付穴を開口した角筒材と、位置決め具によって上記取付穴の直下に位置決めされた押し込みナットと、取付穴の周囲の上面パネル上に配置したワッシャー状部材と、その雌ねじ部に引き寄せ用螺旋部をねじ込んで押し込みナットの圧入固定部の上端周囲を上記取付穴周囲に当接させた圧入補助具と、その上方に配置した六角棒スパナとを示した概略側面断面図、図１０は上面パネルに取付穴を開口した角筒材と、圧入固定部が取付穴の中に引き込まれて固定された押し込みナットと、取付穴の周囲の上面パネル上に配置したワッシャー状部材と、その雌ねじ部に引き寄せ用螺旋部をねじ込んで押し込みナットの圧入固定部を上記取付穴内に引き込み固定した圧入補助具と、その補助具本体の六角穴に下端を挿入した六角棒スパナとを示した概略側面断面図。
【００３５】
図１１は角筒材の上面パネルの取付穴に固定した押し込みナットを示した概略側面断面図、図１２は圧入補助具の概略正面図、図１３（ａ）は上記圧入補助具の概略平面図、図１３（ｂ）は上記圧入補助具の概略底面図、図１４は押し込みナットの一部切欠概略正面図である。
【００３６】
まず図１〜図１４に基づいて本発明の一実施例を説明する。
図１〜図４に示すように、この実施例の押し込みナットの位置決め具は、先端上部にナット保持部１を備えた長尺板材（長尺直線帯状部材）２と、上記長尺板材２の下面側で、上記ナット保持部１に対応する位置の両側に構成した一対の車輪（移動手段）３、３と、上記ナット保持部１の中心からの寸法を示す寸法目盛り４とで構成したものである。
【００３７】
前記ナット保持部１は、押し込みナット１０のナット本体１０ａを受け入れる六角孔１ａを有するナット受け部１ｂと、このナット受け部１ｂを脱着自在に装着するためのナット受け部装入部１ｃとで構成する。上記ナット受け部装入部１ｃは、図２に示すように、平面から見て正方形の容器状の構成であり、その中央部には上下貫通する円形孔１ｄを開口しておくものとする。この円形孔１ｄは、前記ナット受け部１ｂで押し込みナット１０のナット本体１０ａを保持している状態で、後述するように、圧入補助具６の引き寄せ用螺旋部６ａが雌ねじ部１０ｃに螺合された際に、該引き寄せ用螺旋部６ａが長くて該押し込みナット１０の雌ねじ部１０ｃを突き抜けてその下方に進出した場合に対応できるようにしたものである。
【００３８】
また前記ナット受け部１ｂは、図１（ａ）、（ｂ）、図３（ａ）、（ｂ）及び図４に示すように、平面から見て正方形で、その内側に上記六角孔１ａを上下貫通させた構成であり、このナット受け部１ｂは、先に述べ、かつ図１（ａ）、（ｂ）及び図４に示すように、前記ナット受け部装入部１ｃに着脱自在に装入することができるようにする。
【００３９】
図３（ｃ）は他の例のナット受け部１１ｂを示したもので、その中央部に若干小さい六角孔１１ａを開口してある。また図３（ｄ）は更に他の例のナット受け部２１ｂを示したもので、その中央部に更に若干小さい六角孔２１ａを開口してある。
【００４０】
前記長尺板材２は、図１（ａ）、（ｂ）に示すように、概ね物差し状の板材で構成したものである。例えば、接続筒体等を用いて、同様の板材を接続してその長さを必要なだけ延長することができるようにすることができる。
【００４１】
前記一対の車輪３、３は自由な回転が可能に構成したものであり、例えば、前記長尺板材２の後端付近を掴んでその長さ方向に自由に進退移動させることができるようにしたものである。
【００４２】
また前記寸法目盛り４は、図１（ａ）及び図２に示すように、前記ナット保持部１の中心からの寸法を前記長尺板材２の後端方向に向かって記したものであり、後記角筒材５のように内部の見えない空間に、位置決め具を前記ナット保持部１側から装入した場合等に、その寸法目盛り４の「読み」から前記ナット保持部１がどこまで進入したかを正確に把握できるようにするためのものである。
【００４３】
更にこの実施例の押し込みナットの位置決め具で対象の取付穴５ｂに押し込みナット１０を位置決めした上で、その押し込み作業を行うための押し込みナットの圧入補助具６及び対象となる一例の押し込みナット１０を予め説明することとする。
【００４４】
図１２及び図１３に示すように、この実施例で使用する押し込みナットの圧入補助具６は、押し込みナット１０の雌ねじ部１０ｃに適切に螺合し得る引き寄せ用螺旋部６ａと、これをその先端部に突設した補助具本体６ｂとで基本的に構成したものである。
【００４５】
前記引き寄せ用螺旋部６ａは、特に図８に示すように、取付穴５ｂを貫通させて垂下した際に、位置決め具のナット保持部１にナット本体１０ａが保持されている押し込みナット１０の雌ねじ部１０ｃの上端周囲に、その下端周囲が余裕を持って当接し得る程度の長さを有するものとする。上記余裕が少なすぎると、図９に示す取付穴５ｂへの押し込みナット１０の圧入固定部１０ｂの圧入開始時点で雌ねじ部１０ｃへの進入部分が短すぎる結果となり、その後の引き寄せの際に該雌ねじ部１０ｃのねじ山を壊すおそれがあるし、長すぎるとそこまでの作業に手間がかかり過ぎて厄介である。場合に応じて適切に定めるべきである。
【００４６】
前記補助具本体６ｂは、図１２及び図１３に示すように、この実施例では、引き寄せ用螺旋部６ａ側の小径部６ｂ１とその外方の大径部６ｂ２とで構成し、大径部の外端面には六角穴６ｂ３を形成したものである。
上記小径部６ｂ１の前面は、後記取付対象の上面パネル５ａの表面に当接するストッパ面となるが、この実施例では、この補助具本体６ｂを回転させる際に、取付対象の上面パネル５ａの当接面を損傷させないために、上記小径部６ｂ１の前面と取付対象の上面パネル５ａの対応する面との間にワッシャー状部材７を介在させることとする。
【００４７】
上記ワッシャー状部材７は、図７〜図１０に示すように、上面が平坦で、下面は途中から下方に向かってテーパ状に突出したドーナツ状円板であり、アクリル樹脂で成形した平滑な部材である。
【００４８】
また前記押し込みナット１０は、図１４に示すように、ナット本体１０ａと、その一端から突出させた圧入固定部１０ｂとで構成したものであり、更に上記圧入固定部１０ｂは先端のテーパ部と、その手前の溝部とで構成したものである。上記テーパ部は、その表面に回転止めの多数の浅い溝が斜めに形成してある。また前記押し込みナット１０は、文字通り、ナット部材であるから、その内部には雌ねじ部１０ｃを備えている。なおこの押し込みナット１０の構成は、特に圧入固定部１０ｂの構成に関しては、以上の構成に限らないが、ここではこれに即して説明する。他の構成のそれでも押し込んで固定するという点では同じである。
【００４９】
したがってこの実施例の押し込みナットの位置決め具によれば、狭い空間の上面板に開口した取付穴に、その下方から押し込みナット１０を圧入しようとする場合に、その位置への該押し込みナット１０の位置決めを容易かつ正確に行うことができる。
【００５０】
ここでは、この実施例のナットの位置決め具による位置決め及びその後の圧入補助具６による圧入動作を、角筒材５の四面の内、上面板を構成する上面パネル５ａに開口した取付穴５ｂに対して行うものとして説明する。
【００５１】
まず位置決め具のナット保持部１に所定の押し込みナット１０のナット本体１０ａを装入して保持させる。上記ナット保持部１のナット受け部装入部１ｃには、図１（ａ）、（ｂ）及び図４に示すように、予め所定の押し込みナット１０のナット本体１０ａを装入するのに適合する寸法の六角孔１ａを有するナット受け部１ｂを装着しておき、その後、該押し込みナット１０のナット本体１０ａをそのナット受け部１ｂの六角孔１ａ中に装入して仮固定する。
【００５２】
上記押し込みナット１０は、上記のように、ナット本体１０ａを下向きにしてナット保持部１に保持させるので、当然、その圧入固定部１０ｂが上向きに保持されることとなる。
【００５３】
次いで、前記位置決め具の長尺板材２の後端部付近を掴んで、図５に示すように、そのナット保持部１側を前記角筒材５の入口から装入する。このとき、前記一対の車輪３、３が該角筒材５の底面側を走行移動することで容易にその装入操作を行うことができる。またこのとき前記長尺板材２の上面に記してある寸法目盛り４を読み取ることで、前記ナット保持部１の中心から上記角筒材５の入口までの距離を正確に測定し、これを取付対象である取付穴５ｂの軸心から上記角筒材５の入口までの距離と一致させることができる。
【００５４】
したがって前記位置決め具のナット保持部１側を前記角筒材５内に装入する際に方角を確かめ、上記のように、装入距離を寸法目盛り４で確認すれば、図６に示すように、前記ナット保持部１の中心を前記取付穴５ｂの中心とほぼ一致させ、これによってナット保持部１で保持されている押し込みナット１０の軸心を取付穴５ｂの軸心とほぼ一致させることができる。
【００５５】
このように準備した上で、前記押し込みナットの圧入補助具６を用いて前記所定の取付穴５ｂに位置決め具のナット保持部１に保持されている押し込みナット１０の圧入固定部１０ｂを圧入固定することができる。
【００５６】
この圧入の手順は次のように行う。
図７に示すように、まず前記取付穴５ｂに軸心を一致させて上面パネル５ａの上面側にワッシャー状部材７を配し、その上方から圧入補助具６を垂下させ、図８に示すように、更に該圧入補助具６の引き寄せ用螺旋部６ａを該ワッシャー状部材７及び取付穴５ｂを通過させてその下端を前記位置決め具のナット保持部１に保持されている押し込みナット１０の雌ねじ部１０ｃの開口端に当接させる。
【００５７】
次いで、図８中の回転矢印に示すように、圧入補助具６の補助具本体６ｂを掴んでこれを回転させ、その引き寄せ用螺旋部６ａを押し込みナット１０の雌ねじ部１０ｃにねじ込ませる。このとき該押し込みナット１０は、そのナット本体１０ａがナット保持部１のナット受け部１ｂに於ける六角孔１ａで回転止めがされた状態に保持されているので、上記ねじ込みが良好に行われ得るものである。
【００５８】
こうして引き寄せ用螺旋部６ａが前記押し込みナット１０の雌ねじ部１０ｃに螺合してその先端部が該雌ねじ部１０ｃに所定長さ分進入すると、図９に示すように、圧入補助具６の補助具本体６ｂの前面（ストッパ面）がワッシャー状部材７を介して前記上面パネル５ａに当接するようになり、それ以上の下降は不可能となる。したがって更に継続して回転させると、今度は、それに伴って押し込みナット１０側が上昇し、その圧入固定部１０ｂの端部周側が前記取付穴５ｂの周側に当接するに至る。
【００５９】
なお前記補助具本体６ｂの前面がワッシャー状部材７を介して前記上面パネル５ａに当接するようになる際には、上記ワッシャー状部材７のテーパ状の突出した部分の作用により、これ自体の軸心が取付穴５ｂの軸心に一致するように移動し、これによって補助具本体６ｂの下端から垂下する前記引き寄せ螺旋部６ａがほぼ正確に取付穴５ｂの軸心に一致させられることとなる。それ故、この引き寄せ用螺旋部６ａが螺合する押し込みナット１０の軸心もまた取付穴５ｂの軸心と一致することとなる。
【００６０】
前記のように押し込みナット１０の圧入固定部１０ｂの端部周側が前記取付穴５ｂの周側に当接するに至るまでは、図９に示すように、該押し込みナット１０のナット本体１０ａはナット保持部１から抜けきらないので、その回転止めが働き、前記圧入補助具６の引き寄せ用螺旋部６ａの雌ねじ部１０ｃへの相対的螺合進入は良好に行われる。
【００６１】
この後は、引き続いて補助具本体６ｂを、図９中、回転方向を示す矢印の方向に回転させると、前記引き寄せ用螺旋部６ａの回転に伴って押し込みナット１０の圧入固定部１０ｂが取付穴５ｂに下方から進入することとなるため、該補助具本体６ｂを手指の力で簡単に回転させることはできなくなる。そこで、遅くともこの時点までには、図９中下向き矢印に示すように、前記六角棒スパナ８の下端を前記補助具本体６ｂの大径部６ｂ２に於ける六角穴６ｂ３に挿入し、これを用いて、図９中、回転方向を示す矢印の方向に回転操作を行うこととする。
【００６２】
前記六角棒スパナ８を利用して補助具本体６ｂを若干回転させると、これによる引き寄せ用螺旋部６ａの回転に伴って押し込みナット１０が引き上げられ、そのナット本体１０ａが位置決め具のナット保持部１から抜け出ることとなるが、その時点では既にその圧入固定部１０ｂが取付穴５ｂの内面に食い込み、その回転が止められた状態にあるので、この後、前記六角棒スパナ８を利用して引き寄せ用螺旋部６ａを回転させ、これによって該押し込みナット１０を引き上げる操作を行うのに不都合は生じない。
【００６３】
こうして六角棒スパナ８による補助具本体６ｂの回転操作を継続すると、図１０に示すように、引き寄せ用螺旋部６ａの押し込みナット１０に於ける雌ねじ部１０ｃへのねじ込みが進み、該押し込みナット１０を更に引き寄せ、そのナット本体１０ａの内端面が前記上面パネル５ａの下面に接するに至り、その圧入操作は終了となる。
【００６４】
この圧入動作の完了時点は、その時点で、補助具本体６ｂを回転させるトルクが急激に大きくなるので、これを知ることができる。これは、上記のように、ナット本体１０ａの内端面が前記上面パネル５ａの下面に当接することとなるためである。そしてここで引き込み方向の回転操作を停止する。
【００６５】
この後は、補助具本体６ｂを逆回転させて引き寄せ用螺旋部６ａを押し込みナット１０の雌ねじ部１０ｃから抜き取り、ワッシャー状部材７を取り去り、更に前記押し込みナットの位置決め具を角筒材５の内部空間から引き出せば全ての作業は終了である。云うまでもなく、押し込みナット１０のナット本体１０ａは前記ナット保持部１から抜け出ているので、位置決め具の引き出しには何の支障も生じない。図１１は圧入が完了し、押し込みナットの位置決め具及び圧入補助具６等を取り外した状態を示している。
【００６６】
このようにこの実施例の押し込みナットの位置決め具によれば、容易に手を差し込むこともできないような角筒材５の狭い内部空間内からその取付穴５ｂに押し込みナットを圧入する場合であっても、そのような位置への押し込みナット１０の位置決めを容易かつ正確に行うことができる。またその後の圧入操作にも良好に対応できるものである。
【００６７】
【発明の効果】
したがって本発明の１の押し込みナットの位置決め具によれば、狭い空間の上面板に開口した取付穴、例えば、角筒状部材の四面の内、上面板を構成するパネルに開口した取付穴にその下方から押し込みナットを圧入しようとする場合に、その位置への該押し込みナットの位置決めを容易かつ正確に行うことができる。
【００６８】
また本発明の１の押し込みナットの位置決め具によれば、その長尺直線帯状部材の先端上部に構成したナット保持部が、ナット本体を保持することに加えて、前記圧入補助具の回転による引き寄せ用螺旋部の押し込みナットの雌ねじ部へのねじ込みの際に、該押し込みナットに対する回転止めの作用も果たすこととなる。
【００６９】
本発明の２の押し込みナットの位置決め具によれば、ナット受け部の六角孔に種々のサイズのものを用意し、これを適宜交換することにより、種々のサイズの押し込みナットの位置決めに用いることができる。
【図面の簡単な説明】
【図１】（ａ）は一実施例の位置決め具の一部切欠概略正面図。
（ｂ）は一実施例の位置決め具の一部切欠概略側面図。
【図２】一実施例の位置決め具の向きを変え、かつそのナット受け部装入部からナット受け部を抜き取った状態の一部切欠概略正面図。
【図３】（ａ）はナット受け部の一例の概略正面図。
（ｂ）はナット受け部の一例のＡ−Ａ線概略断面図。
（ｃ）はナット受け部の他の一例の概略正面図。
（ｄ）はナット受け部の更に他の一例の概略正面図。
【図４】ナット受け部装入部にナット受け部を、そのナット受け部に押し込みナットを、順次、装入しようとしている状態を示した位置決め具の一部切欠概略側面図。
【図５】角筒材内に位置決め具のナット保持部側を装入した状態を示した一部切欠概略斜視図。
【図６】角筒材内に位置決め具のナット保持部側を装入し、該ナット保持部で保持した押し込みナットを上面パネルに開口した取付穴に上下一致する位置に位置決めしようとしている状態を示した一部切欠概略側面断面図。
【図７】上面パネルに取付穴を開口した角筒材と、位置決め具によって上記取付穴の直下に位置決めされた押し込みナットと、上記押し込みナットを上記取付穴に圧入固定すべく、その上方に配置したワッシャー状部材及び圧入補助具とを示した概略側面断面図。
【図８】上面パネルに取付穴を開口した角筒材と、位置決め具によって上記取付穴の直下に位置決めされた押し込みナットと、取付穴の周囲の上面パネル上に配置したワッシャー状部材と、その上方から引き寄せ用螺旋部を垂下して下端周囲を押し込みナットの雌ねじ部上端周囲に当接させた圧入補助具とを示した概略側面断面図。
【図９】上面パネルに取付穴を開口した角筒材と、位置決め具によって上記取付穴の直下に位置決めされた押し込みナットと、取付穴の周囲の上面パネル上に配置したワッシャー状部材と、雌ねじ部に引き寄せ用螺旋部をねじ込んで押し込みナットの圧入固定部の上端周囲を上記取付穴周囲に当接させた圧入補助具と、その上方に配置した六角棒スパナとを示した概略側面断面図。
【図１０】上面パネルに取付穴を開口した角筒材と、圧入固定部が取付穴の中に引き込まれて固定された押し込みナットと、取付穴の周囲の上面パネル上に配置したワッシャー状部材と、その雌ねじ部に引き寄せ用螺旋部をねじ込んで押し込みナットの圧入固定部を上記取付穴内に引き込み固定した圧入補助具と、その補助具本体の六角穴に下端を挿入した六角棒スパナとを示した概略側面断面図。
【図１１】角筒材の上面パネルの取付穴に固定した押し込みナットを示した概略側面断面図。
【図１２】圧入補助具の概略正面図。
【図１３】（ａ）は上記圧入補助具の概略平面図。
（ｂ）は上記圧入補助具の概略底面図。
【図１４】押し込みナットの一部切欠概略正面図。
【符号の説明】
１    ナット保持部
１ａ、１１ａ、２１ａ  六角孔
１ｂ、１１ｂ、２１ｂ  ナット受け部
１ｃ  ナット受け部装入部
１ｄ  円形孔
２    長尺板材（長尺直線帯状部材）
３    車輪（移動手段）
４    寸法目盛り
５    角筒材
５ａ  上面パネル
５ｂ  取付穴
６    押し込みナットの圧入補助具
６ａ  引き寄せ用螺旋部
６ｂ  補助具本体
６ｂ１  小径部
６ｂ２  大径部
６ｂ３  六角穴
７    ワッシャー状部材
１０  押し込みナット
１０ａ  ナット本体
１０ｂ  圧入固定部
１０ｃ  雌ねじ部
【図１】
0003712586.tif 000002
【図２】
0003712586.tif 000003
【図３】
0003712586.tif 000004
【図４】
0003712586.tif 000005
【図５】
0003712586.tif 000006
【図６】
0003712586.tif 000007
【図７】
0003712586.tif 000008
【図８】
0003712586.tif 000009
【図９】
0003712586.tif 000010
【図１０】
0003712586.tif 000011
【図１１】
0003712586.tif 000012
【図１２】
0003712586.tif 000013
【図１３】
0003712586.tif 000014
【図１４】
0003712586.tif 000015